(57)【要約】【課題】ケーシング内に利用側熱交換器及び熱源側熱交換器を収容した屋外空気調和装置であって、利用側熱交換器を通過した空気に対する熱源側熱交換器の熱の悪影響を抑制可能な効率のよい屋外空気調和装置を提供する。【解決手段】屋外空気調和装置１００は、冷媒回路、利用側ファン５０、熱源側ファン６０、ケーシング９０、及び仕切部９８ａを備える。冷媒回路は、圧縮機１０と、利用側熱交換器３０と、熱源側熱交換器４０と、を含む。利用側ファンは、利用側熱交換器を空気が通過するように気流を生成する。熱源側ファンは、熱源側熱交換器を空気が通過するように気流を生成する。ケーシングは、利用側熱交換器、熱源側熱交換器、利用側ファン、及び熱源側ファンを収容する。仕切部は、中空空間１１０を形成している。中空空間は、ケーシング内に形成される利用側熱交換器を通過した空気の流路と熱源側熱交換器との間に配置される。【選択図】図４
2020003160.tif 000002
【特許請求の範囲】
【請求項１】
冷媒を圧縮する圧縮機（１０）と、利用側熱交換器（３０）と、熱源側熱交換器（４０）と、を含む冷媒回路（２０）と、
前記利用側熱交換器を空気が通過するように気流を生成する第１ファン（５０）と、
前記熱源側熱交換器を空気が通過するように気流を生成する第２ファン（６０）と、
前記利用側熱交換器、前記熱源側熱交換器、前記第１ファン、及び前記第２ファンを収容する屋外に設置されるケーシング（９０）と、
前記ケーシング内に形成される前記利用側熱交換器を通過した空気の流路（ＦＰ）と前記熱源側熱交換器との間に配置される中空空間（１１０，２１０）、を形成している仕切部（９８ａ，２９８ａ）と、
を備える、屋外空気調和装置（１００）。
【請求項２】
前記流路を通過した空気は、前記ケーシングから複数方向に吹き出す、
請求項１に記載の屋外空気調和装置。
【請求項３】
前記流路は、前記利用側熱交換器を通過した空気が前記ケーシング外へと吹き出す吹出口（８２）を含み、
前記吹出口と前記熱源側熱交換器とは上下方向に異なる位置に配置され、
前記中空空間は、上下方向において、前記吹出口と前記熱源側熱交換器との間に配置される、
請求項１又は２に記載の屋外空気調和装置。
【請求項４】
前記流路は、複数の前記吹出口（８２ａ〜８２ｄ）を含む、
請求項３に記載の屋外空気調和装置。
【請求項５】
前記中空空間は、少なくとも部分的に、前記吹出口と前記熱源側熱交換器との間に、前記吹出口及び前記熱源側熱交換器に隣接して配置される、
請求項３又は４に記載の屋外空気調和装置。
【請求項６】
前記吹出口は、前記熱源側熱交換器と前記利用側熱交換器との間に配置される、
請求項３から５のいずれか１項に記載の屋外空気調和装置。
【請求項７】
前記仕切部は前記熱源側熱交換器の下方に配置され、
前記仕切部の上面はドレン受けとして機能する、
請求項１から６のいずれか１項に記載の屋外空気調和装置。
【請求項８】
前記圧縮機から吐出される冷媒の流れ方向を切り換えて、前記屋外空気調和装置の運転状態を、前記利用側熱交換器を蒸発器として機能させ、前記熱源側熱交換器を放熱器として機能させる第１運転状態と、前記利用側熱交換器を放熱器として機能させ、前記熱源側熱交換器を蒸発器として機能させる第２運転状態と、の間で切り換える冷媒流向切換機構（１２）を更に備える、
請求項１から７のいずれか１項に記載の屋外空気調和装置。
【発明の詳細な説明】
【技術分野】
【０００１】
空気調和装置に関し、特には屋外で使用される空気調和装置に関する。
【背景技術】
【０００２】
従来、特許文献１（実開平１−１２５９３３号公報）のように、単一のケーシング内に利用側熱交換器及び熱源側熱交換器を収容した屋外空気調和装置が知られている。
【発明の概要】
【発明が解決しようとする課題】
【０００３】
特許文献１（実開平１−１２５９３３号公報）では、利用側熱交換器としての蒸発器を通過した空気と、熱源側熱交換器としての凝縮器を通過した空気とが、境界壁を介して熱交換し、利用側熱交換器により冷却された空気が加熱されてしまうため、効率の観点から改善の余地がある。
【課題を解決するための手段】
【０００４】
第１観点の屋外空気調和装置は、冷媒回路と、第１ファンと、第２ファンと、屋外に設置されるケーシングと、仕切部と、を備える。冷媒回路は、冷媒を圧縮する圧縮機と、利用側熱交換器と、熱源側熱交換器と、を含む。第１ファンは、利用側熱交換器を空気が通過するように気流を生成する。第２ファンは、熱源側熱交換器を空気が通過するように気流を生成する。ケーシングは、利用側熱交換器、熱源側熱交換器、第１ファン、及び第２ファンを収容する。仕切部は、中空空間を形成している。中空空間は、ケーシング内に形成される利用側熱交換器を通過した空気の流路と熱源側熱交換器との間に配置される。
【０００５】
なお、ケーシングは、支柱と、底板と、天板と、を有していることが好ましい。
【０００６】
第１観点の屋外空気調和装置では、利用側熱交換器を通過した後の空気の流路と熱源側熱交換器との間に中空空間が配置されるため、熱源側熱交換器の熱が直接的に利用側熱交換器を通過した空気に伝わることを抑制できる。つまり、中空空間により、利用側熱交換器により冷却／加熱された空気の、熱源側熱交換器の熱による加熱／冷却を抑制することができる。
【０００７】
第２観点の屋外空気調和装置は、第１観点の屋外空気調和装置であって、流路を通過した空気は、ケーシングから複数方向に吹き出す。
【０００８】
利用側熱交換器で熱交換を行った空気がケーシングから複数方向に吹き出される場合に、利用側熱交換器を通過した空気が熱源側熱交換器の熱の影響を受けると、場所によって吹き出す空気の温度に差ができ、いわゆる温度ムラが生じるおそれがある。ここでは、利用側熱交換器を通過した後の空気の流路と熱源側熱交換器との間に中空空間が配置されるため、温度ムラの発生を抑制することができる。
【０００９】
第３観点の屋外空気調和装置は、第１観点又は第２観点の屋外空気調和装置であって、流路は、利用側熱交換器を通過した空気がケーシング外へと吹き出す吹出口を含む。吹出口と熱源側熱交換器とは上下方向に異なる位置に配置される。中空空間は、上下方向において、吹出口と熱源側熱交換器との間に配置される。
【００１０】
第３観点の屋外空気調和装置では、利用側熱交換器を通過した後の空気がケーシング外へと吹き出す直前に通過する吹出口と熱源側熱交換器との間に中空空間が配置される。そのため、利用側熱交換器により冷却／加熱された空気に対する、熱源側熱交換器の熱の悪影響が抑制されやすい。
【００１１】
第４観点の屋外空気調和装置は、第３観点の屋外空気調和装置であって、流路は、複数の吹出口を含む。
【００１２】
第５観点の屋外空気調和装置では、第３観点又は第４観点の屋外空気調和装置であって、中空空間は、少なくとも部分的に、吹出口と熱源側熱交換器との間に、吹出口及び熱源側熱交換器に隣接して配置される。
【００１３】
第５観点の屋外空気調和装置では、吹出口と熱源側熱交換器とが近くに配置される場合であっても、これらに隣接して配置される中空空間によって、吹出口から吹き出す直前の空気に対する熱源側熱交換器の熱による悪影響が抑制されやすい。
【００１４】
第６観点の屋外空気調和装置では、第３観点から第５観点のいずれかの屋外空気調和装置であって、吹出口は、熱源側熱交換器と利用側熱交換器との間に配置される。
【００１５】
第７観点の屋外空気調和装置では、第１観点から第６観点のいずれかの屋外空気調和装置であって、仕切部は、熱源側熱交換器の下方に配置される。仕切部の上面は、ドレン受けとして機能する。
【００１６】
第７観点の屋外空気調和装置では、仕切部の上面がドレン受けとしても機能するので、部品点数を抑制することができる。
【００１７】
第８観点の屋外空気調和装置は、第１観点から第７観点のいずれかの屋外空気調和装置であって、冷媒流向切換機構を更に備える。冷媒流向切換機構は、圧縮機から吐出される冷媒の流れ方向を切り換えて、屋外空気調和装置の運転状態を、第１運転状態と、第２運転状態と、の間で切り換える。第１運転状態では、利用側熱交換器が蒸発器として機能させられ、熱源側熱交換器が放熱器として機能させられる。第２運転状態では、利用側熱交換器が放熱器として機能させられ、熱源側熱交換器が蒸発器として機能させられる。
【図面の簡単な説明】
【００１８】
【図１】一実施形態に係る屋外空気調和装置の概略外観斜視図である。
【図２】図１の屋外空気調和装置の冷媒回路を概略的に示す図である。
【図３】図１の屋外空気調和装置のケーシングの内部の構成を示す斜視図である。
【図４】図１の屋外空気調和装置のケーシングの内部の構成を示す概略側面図であり、一部の構成については断面を示している。
【図５】図１の屋外空気調和装置のケーシングの吹出エリア周辺の部分拡大図である。
【図６】図１の屋外空気調和装置の熱源側熱交換器及びその下方に配置されるドレンパンの平面図であり、ドレンパンの下方に配置される第１部材の存在する位置を二点鎖線のハッチングで示している。
【図７】図１の屋外空気調和装置の利用側熱交換器の概略平面図である。
【図８】図１の屋外空気調和装置の熱源側熱交換器の概略平面図である。
【図９】変形例Ｈの屋外空気調和装置のケーシングの内部の構成を示す概略側面図であり、一部の構成については断面を示している。
【発明を実施するための形態】
【００１９】
一実施形態に係る屋外空気調和装置１００について、図面を参照しながら、以下に説明する。
【００２０】
なお、以下では、位置や方向を説明するために「上」「下」「前（正面）」「後（背面）」「左」「右」等の表現を用いる場合がある。これらの表現は、特記無き場合、図面に示した「上」「下」「前」「後」「左」「右」の矢印の向きに従う。
【００２１】
（１）全体概要
図１は、屋外空気調和装置１００の外観斜視図である。図２は、屋外空気調和装置１００の冷媒回路２０を概略的に示す図である。
【００２２】
屋外空気調和装置１００は、屋外に設置され、屋外で空気調和を行う空気調和装置である。ここで、屋外とは、少なくとも一部が外気にさらされる空間を意味する。屋外には、例えば、公園、野外の競技場など、屋根や壁の無い場所を含む。ただし、屋外は、屋根及び壁の無い場所に限定されるものではなく、屋根のある戸外空間やオープンテラス、東屋のような場所や、周囲を壁に囲まれた屋根の無い中庭のような場所等、少なくとも一部が屋外に開放している空間も含む。
【００２３】
屋外空気調和装置１００は、蒸気圧縮冷凍サイクルを利用して屋外の冷房、除湿、暖房等を行う。屋外空気調和装置１００において用いられる冷媒は、限定するものではないが、例えば、Ｒ３２単体、又はＲ３２を含む混合冷媒である。Ｒ３２を含む混合冷媒の具体例には、Ｒ４５２Ｂ、Ｒ４１０Ａ、Ｒ４５４Ｂ、及びＨＦＯ混合冷媒を含む。なお、Ｒ４５２Ｂは、Ｒ３２を６７．０ｗｔ％、Ｒ１２５を７．０ｗｔ％、Ｒ１２３４ｙｆを２６．０ｗｔ％含む混合冷媒である。Ｒ４１０Ａは、Ｒ３２を５０ｗｔ％、Ｒ１２５を５０ｗｔ％含む混合冷媒である。Ｒ４５４Ｂは、Ｒ３２を７２．５ｗｔ％、Ｒ１２３４ｙｆを２７．５ｗｔ％含む混合冷媒である。ＨＦＯ混合冷媒には、ＨＦＯ−１１２３を４５．０ｗｔ％、Ｒ３２を５５．０ｗｔ％含むものの他、ＨＦＯ−１１２３を４０．０ｗｔ％、Ｒ３２を６０．０ｗｔ％含むものも含む。また、屋外空気調和装置１００において用いられる冷媒は、ＣＯ２等の自然冷媒であってもよい。
【００２４】
本実施形態では、屋外空気調和装置１００は、冷房／除湿及び暖房を行うことが可能な装置である。ただし、屋外空気調和装置１００は、冷房／除湿及び暖房を行うことが可能な装置に限定されるものではない。例えば、屋外空気調和装置１００は、冷房／除湿のみを行うことが可能な冷房専用機であってもよい。また、例えば、屋外空気調和装置１００は、暖房のみを行うことが可能な暖房専用機であってもよい。なお、屋外空気調和装置１００が冷房専用機である場合、屋外空気調和装置１００は、後述する冷媒流向切換機構１２を有していなくてもよい。また、屋外空気調和装置１００が暖房専用機である場合にも、屋外空気調和装置１００は冷媒流向切換機構１２を有していなくてもよい。ただし、屋外空気調和装置１００が後述する熱源側熱交換器４０の除霜のために逆サイクルデフロスト運転を行うものであれば、冷媒流向切換機構１２を有することが好ましい。
【００２５】
屋外空気調和装置１００は、図２に示すように、圧縮機１０、冷媒流向切換機構１２、利用側熱交換器３０、膨張機構１６、及び熱源側熱交換器４０等の機器を配管で接続した冷媒回路２０を有する。屋外空気調和装置１００は、ケーシング９０（図１参照）内に、冷媒回路２０の全体を収容している。また、屋外空気調和装置１００は、利用側熱交換器３０を空気が通過するように気流を生成する利用側ファン５０と、熱源側熱交換器４０を空気が通過するように気流を生成する熱源側ファン６０と、を有する（図２参照）。利用側ファン５０及び熱源側ファン６０は、ケーシング９０内に収容されている。屋外空気調和装置１００の動作は、制御装置７０（図２参照）により制御される。
【００２６】
（２）詳細説明
以下に、ケーシング９０と、冷媒回路２０と、冷媒回路２０に含まれる、圧縮機１０、冷媒流向切換機構１２、熱源側熱交換器４０、利用側熱交換器３０及び膨張機構１６と、利用側ファン５０と、熱源側ファン６０と、制御装置７０とについて以下に説明する。
【００２７】
（２−１）ケーシング
屋外空気調和装置１００のケーシング９０、及びケーシング９０内の機器の配置について、図１、図３〜図６を参照しながら以下に説明する。
【００２８】
図３は、屋外空気調和装置１００のケーシング９０の内部の構成を示す斜視図である。図３は、ケーシング９０の化粧板９１や一部の支柱（支柱９２ｂ）等が取り除かれた状態の屋外空気調和装置１００を描画しており、ケーシング９０の内部の機器の配置を描画している。図４は、屋外空気調和装置１００のケーシング９０の内部の構成を示す概略側面図である。図４では、一部の構成（利用側熱交換器３０，熱源側熱交換器４０，利用側ファン５０等）については断面を示している。図５は、屋外空気調和装置１００のケーシング９０の吹出エリアＡ２１周辺の部分拡大図である。図６は、熱源側熱交換器４０及びその下方に配置されるドレンパン４６の平面図である。また、図６では、ドレンパン４６の下方に配置される第１部材４７の存在する位置を二点鎖線のハッチングで示している。なお、二点鎖線のハッチングで示すエリアは、後述する中空空間１１０の存在する位置と概ね一致する。
【００２９】
本実施形態の屋外空気調和装置１００では、ケーシング９０には、圧縮機１０、利用側熱交換器３０、熱源側熱交換器４０、利用側ファン５０、及び熱源側ファン６０が収容される（図３参照）。本実施形態では、ケーシング９０は、平面視が略正方形状の略直方体形状を有している（図１参照）。ただし、ケーシング９０の形状は、平面視が略正方形状の略直方体形状に限定されるものではなく、平面視が長方形形状の直方体形状を有していてもよい。また、ケーシング９０は、平面視が多角形形状の多角柱形状を有していてもよく、平面視が円形状の円柱形状や、楕円形状の楕円柱形状を有していてもよい。ケーシング９０の形状は、適宜決定されればよい。
【００３０】
好ましくは、ケーシング９０の下面にはキャスター９５が取り付けられ、屋外空気調和装置１００は移動可能に構成される（図３参照）。また、好ましくは、ケーシング９０の下部には、転倒防止用の支持脚９３が設けられる（図１参照）。支持脚９３は、ケーシング９０に対して着脱可能であることが好ましい。
【００３１】
ケーシング９０は、４本の支柱９２ａ〜９２ｄと、天板９４と、底板９６とを有している（図１、図３及び図５参照）。
【００３２】
４本の支柱９２ａ〜９２ｄは、平面視において略正方形形状のケーシング９０の四隅に、鉛直方向に延びるように配置されている。天板９４及び底板９６は、４本の支柱９２ａ〜９２ｄに固定されている。天板９４には、その中央部に熱源側熱交換器４０を通過した空気をケーシング９０外に排出するための排気口８４が形成されている。つまり、天板９４には、その中央部に熱源側熱交換器４０を流れる冷媒と熱交換をした空気をケーシング９０外に排出するための排気口８４が形成されている。排気口８４の上方には、メッシュ状のファンガード（図示省略）が配置されている。底板９６上には、圧縮機１０や、屋外空気調和装置１００の各種電装品を収容している電装品ボックス２（図３参照）等が設置されている。
【００３３】
ケーシング９０の内部には、ケーシング９０の内部を仕切る仕切部９８ａ，９８ｂが配置されている（図４参照）。
【００３４】
仕切部９８ａは、熱源側熱交換器４０の下方に、熱源側熱交換器４０に隣接して配置される。なお、ここで、仕切部９８ａが熱源側熱交換器４０の下方に隣接して配置されるとは、熱源側熱交換器４０の下端の少なくとも一部と、仕切部９８ａと、の間に部材が配置されていないことを意味する。
【００３５】
仕切部９８ａは、支柱９２ａ〜９２ｄに固定されたドレンパン４６と、ドレンパン４６の下方に配置される第１部材４７と、を含む。
【００３６】
ドレンパン４６は、仕切部９８ａの上部に配置される。ドレンパン４６は、底部４６ａと、底部４６ａの周縁から上方に延びる側壁４６ｂと、を有する部材である（図４参照）。ドレンパン４６は、熱源側熱交換器４０で発生する結露水や雨水等を受ける。つまり、仕切部９８ａの上面であるドレンパン４６の底部４６ａは、ドレン受けとして機能する。ドレンパン４６は、材質を限定するものではないが、例えば金属製の部材である。
【００３７】
ドレンパン４６の底部４６ａには、その中央部に上方に凹む凹部４６ａａが形成されている（図４参照）。凹部４６ａａは、形状を限定するものではないが、平面視において略正方形形状である（図６参照）。凹部４６ａａによりドレンパン４６の下方に形成される空間Ｓ１は、利用側ファン５０のモータ５２の一部を収容している（図４参照）。ドレンパン４６の底部４６ａに凹部４６ａａを設け、凹部４６ａａによりドレンパン４６の下方に形成される空間Ｓ１をモータ５２の収容に利用することで、ケーシング９０内部の空間を有効利用でき、屋外空気調和装置１００の小型化を図ることができる。
【００３８】
第１部材４７は、ドレンパン４６の下方に配置される部材である（図４参照）。図６では、ドレンパン４６の下方に配置される第１部材４７の平面的な位置を二点鎖線のハッチングで示している。第１部材４７は、ドレンパン４６と同様に金属製であってもよい。また、第１部材４７は、ドレンパン４６とは異なる材質であってもよい。例えば、第１部材４７は樹脂製である。第１部材４７の材質として金属よりも熱伝導率の小さな樹脂等の材料を採用することで、ドレンパン４６を介した熱伝導が抑制されやすい。なお、本実施形態では、第１部材４７は単一の部材であるが、これに限定されるものではなく、第１部材４７は、複数の部品により構成され、全体として第１部材として機能してもよい。第１部材４７は、平面視において中央部に略正方形状の穴４７ｄ（図６参照）が形成された略矩形状の平板状の底板部４７ｃと、底板部４７ｃの内縁から上方に延びる内縁部４７ａと、底板部４７ｃの外縁から上方に延びる外縁部４７ｂと、を有する（図４参照）。なお、底板部４７ｃの内縁とは、中央部に形成された穴４７ｄとの境界部分を意味する。本実施形態では、底板部４７ｃの中央部の穴４７ｄは、ドレンパン４６の凹部４６ａａよりも大きく形成されている（図６参照）。これに代えて、底板部４７ｃの中央部の穴４７ｄは、凹部４６ａａと概ね同一サイズに形成されてもよい。なお、第１部材４７の内縁部４７ａは、平面視において、後述する熱源側熱交換器４０の熱交換器本体４１の内周側の縁部よりも内側に配置されることが好ましい。言い換えれば、第１部材４７の内縁部４７ａは、平面視において、後述する熱交換器本体４１の熱交換部４１ａの内周側の縁部よりも内側に配置されることが好ましい。また、第１部材４７の外縁部４７ｂは、平面視において、熱源側熱交換器４０の熱交換器本体４１の外周側の縁部よりも外側に配置されることが好ましい。言い換えれば、第１部材４７の外縁部４７ｂは、平面視において、後述する熱交換器本体４１の熱交換部４１ｂの外周側の縁部よりも外側に配置されることが好ましい。言い換えれば、熱源側熱交換器４０の熱交換器本体４１の下方には、第１部材４７の底板部４７ｃが配置されることが好ましい。このように配置されることで、熱源側熱交換器４０の熱交換器本体４１の下方に、後述する中空空間１１０を配置することができる。
【００３９】
また、第１部材４７の外縁部４７ｂは、後述する吹出口８２ａ〜８２ｄの直上、又は、平面視に置いて吹出口８２ａ〜８２ｄよりも外側に配置されることが好ましい。このように配置されることで、吹出口８２ａ〜８２ｄの上方に、後述する中空空間１１０を配置することができる。
【００４０】
第１部材４７は、ケーシング９０内の、第１部材４７の底板部４７ｃとドレンパン４６の底部４６ａの下面との間に、例えば１０mm程度の隙間が確保されるような高さ位置に配置される。また、第１部材４７は、好ましくは、内縁部４７ａ及び外縁部４７ｂの上端部がドレンパン４６の底部４６ａの下面に接触した状態で、ケーシング９０内に配置される。より好ましくは、第１部材４７は、内縁部４７ａ及び外縁部４７ｂの上端部がドレンパン４６の底部４６ａの下面に密着した状態で、ケーシング９０内に配置される。
【００４１】
ドレンパン４６と第１部材４７とは、ドレンパン４６の底部４６ａと、第１部材４７の底板部４７ｃの上面と、第１部材４７の内縁部４７ａと、第１部材４７の外縁部４７ｂと、により囲まれる中空空間１１０を形成する。中空空間１１０は、後述するケーシング９０内に形成される利用側熱交換器３０を通過した空気の流路ＦＰと、熱源側熱交換器４０と、の間に配置される空間である。中空空間１１０は、主に、利用側熱交換器３０を通過した空気の流路ＦＰと熱源側熱交換器４０との間や、利用側熱交換器３０を通過した空気の流路ＦＰと熱源側熱交換器４０を通過した空気の流路との間を断熱することを目的とした空間である。中空空間１１０は、その外部の空間との間で空気の移動が制限されている空間である。具体的に言えば、中空空間１１０は、利用側熱交換器３０を通過した空気の流路ＦＰから空気が自由に流入したり、中空空間１１０の内部の空気が利用側熱交換器３０を通過した空気の流路ＦＰに流入したりケーシング９０の外部に吹き出したりすることが無いよう、外部の空間との間で空気の移動が制限されている空間である。好ましくは、中空空間１１０は、その外部の空間との間で空気の移動が無い隔離された空間である。
【００４２】
第１部材４７は、例えば、ドレンパン４６の底部４６ａの底面や、支柱９２ａ〜９２ｄ等に固定される。第１部材４７は、ドレンパン４６の底部４６ａの底面や、支柱９２ａ〜９２ｄ等に対して、ボルト等の部材により脱着可能な態様で固定されてもよいし、溶接や接着等の方法で固定されてもよい。第１部材４７の固定方法は、適宜選択されればよい。
【００４３】
仕切部９８ｂは、利用側熱交換器３０の下方に配置される。仕切部９８ｂは、支柱９２ａ〜９２ｄに固定されたドレンパン３６を含む。ドレンパン３６は、例えば金属製の部材である。ドレンパン３６は、利用側熱交換器３０で発生する結露水等を受ける、底部３６ａの周縁が側壁３６ｂで囲まれている部材である（図４参照）。
【００４４】
仕切部９８ａは、仕切部９８ａの上方に配置される熱源エリアＡ１と、仕切部９８ａの下方に配置される利用エリアＡ２とを仕切っている（図４参照）。仕切部９８ａにより、熱源側熱交換器４０を通過した直後の空気が利用エリアＡ２に直接流入したり、利用側熱交換器３０を通過した直後の空気が熱源エリアＡ１に直接流入したりすることが抑制される。つまり、仕切部９８ａにより、熱源エリアＡ１の空気が利用エリアＡ２に直接流入したり、利用エリアＡ２の空気が熱源エリアＡ１に直接流入したりすることが抑制される。また、仕切部９８ａは、利用側熱交換器３０を通過した空気の流路ＦＰと、熱源側熱交換器４０との断熱のための部材としても機能する。また、仕切部９８ａは、利用側熱交換器３０を通過した空気の流路ＦＰと、熱源側熱交換器４０を通過した空気の流路との断熱のための部材としても機能する。特に、仕切部９８ａのドレンパン４６及び第１部材４７により形成される中空空間１１０は、利用側熱交換器３０を通過した空気の流路ＦＰと熱源側熱交換器４０との間に配置され、利用側熱交換器３０を通過した空気の流路ＦＰと熱源側熱交換器４０との間や、利用側熱交換器３０を通過した空気の流路ＦＰと熱源側熱交換器４０を通過した空気の流路との間を断熱する。後ほど更に説明する。
【００４５】
仕切部９８ｂは、仕切部９８ｂの上方に配置される利用エリアＡ２と、仕切部９８ｂの下方に配置される機械室エリアＡ３とを仕切っている（図４参照）。
【００４６】
熱源エリアＡ１には、主に熱源側熱交換器４０及び熱源側ファン６０が配置されている（図４参照）。熱源エリアＡ１には、仕切部９８ａのドレンパン４６の上方、かつ、ドレンパン４６に隣接して熱源側熱交換器４０が配置されている（図４参照）。熱源側熱交換器４０は、ドレンパン４６の底部４６ａに隣接して配置されている（図４参照）。また、熱源エリアＡ１には、熱源側熱交換器４０の上方に熱源側ファン６０が配置されている。
【００４７】
利用エリアＡ２には、主に利用側熱交換器３０及び利用側ファン５０が配置されている（図４参照）。利用エリアＡ２は、支柱９２ａ〜９２ｄに固定された中間板９８ｃにより、中間板９８ｃの上方に配置される吹出エリアＡ２１と、中間板９８ｃの下方に配置される熱交換器エリアＡ２２と、に更に区画されている（図４参照）。
【００４８】
吹出エリアＡ２１には、主に利用側ファン５０が配置されている（図４参照）。吹出エリアＡ２１には、利用側熱交換器３０を通過した空気の流路ＦＰが形成される（図４参照）。利用側熱交換器３０を通過した空気の流路ＦＰと、熱源側熱交換器４０との間には、図４のように仕切部９８ａにより形成される中空空間１１０が配置される。
【００４９】
利用側熱交換器３０を通過した空気の流路ＦＰ（以後、単に流路ＦＰと記載する場合がある）には、利用側熱交換器３０を通過した空気がケーシング９０外へと吹き出す吹出口８２を含む。吹出口８２は、吹出エリアＡ２１を囲むケーシング９０の側面の、隣接する支柱間に形成されている。吹出口８２は、複数の（本実施形態では４つの）吹出口８２ａ〜８２ｄを含む。具体的には、支柱９２ａと支柱９２ｂとの間（右側面）に吹出口８２ａが、支柱９２ｂと支柱９２ｃとの間（前面）に吹出口８２ｂが、支柱９２ｃと支柱９２ｄとの間（左側面）に吹出口８２ｃが、支柱９２ｄと支柱９２ａとの間（後面）に吹出口８２ｄが、それぞれ形成される（図５参照）。利用側熱交換器３０において冷媒と熱交換した空気は、流路ＦＰを通過して、流路ＦＰの吹出口８２ａ〜８２ｄからケーシング９０の外へと吹き出す。ここでは、ケーシング９０の４つの側面に吹出口８２ａ〜８２ｄが形成されていることから、流路ＦＰを通過した空気は、ケーシング９０から複数方向に（四方に）吹き出す。
【００５０】
なお、吹出口８２（吹出口８２ａ〜８２ｄ）は、熱源側熱交換器４０と利用側熱交換器３０との間に配置される（図４参照）。吹出口８２（吹出口８２ａ〜８２ｄ）は、熱源側熱交換器４０の下方であって、利用側熱交換器３０の上方に配置される（図４参照）。
【００５１】
吹出口８２（吹出口８２ａ〜８２ｄ）は、熱源側熱交換器４０とは上下方向に異なる位置、具体的には熱源側熱交換器４０の下方に配置される。上述の中空空間１１０は、上下方向において、吹出口８２（吹出口８２ａ〜８２ｄ）と熱源側熱交換器４０との間に配置される。好ましくは、中空空間１１０は、少なくとも部分的に、吹出口８２（吹出口８２ａ〜８２ｄ）と熱源側熱交換器４０との間に、吹出口８２（吹出口８２ａ〜８２ｄ）及び熱源側熱交換器４０と隣接して配置される。
【００５２】
なお、中空空間１１０が、吹出口８２（吹出口８２ａ〜８２ｄ）と熱源側熱交換器４０との間に、吹出口８２（吹出口８２ａ〜８２ｄ）及び熱源側熱交換器４０に隣接して配置されるとは、吹出口８２（吹出口８２ａ〜８２ｄ）側に配置される熱源側熱交換器４０の端部（ここでは下端）と、その端部から最も近い吹出口８２（吹出口８２ａ〜８２ｄ）の縁部（ここでは上縁部８２ａａ〜８２ｄａ、図５参照）との間に、吹出口８２を形成している部材及び中空空間１１０を形成している仕切部９８ａ以外の部材が存在しないことを意味する。
【００５３】
平面視において、後述する熱源側熱交換器４０の熱交換器本体４１の全面積に対する、熱源側熱交換器４０の熱交換器本体４１の下端のある地点と、その地点から最も近い位置の吹出口８２ａ〜８２ｄの上縁部８２ａａ〜８２ｄａのある地点との間に、中空空間１１０が隣接して配置される熱交換器本体４１の部分の面積の割合は、５０％以上であることが好ましく、より好ましくは８５％以上であり、更に好ましくは１００％である。このように構成されることで、吹出口８２ａ〜８２ｄから空気が吹き出す時に、利用側熱交換器３０を通過して冷却／加熱された空気が、熱源側熱交換器４０により加熱／冷却されてしまう、冷房／暖房効率の悪化が抑制される。また、このように構成されることで、吹出口８２ａ〜８２ｄから吹き出す空気の温度の局所的な上昇／低下を抑制し、ケーシング９０の周りに局所的な温度ムラが生じる可能性を低減できる。
【００５４】
なお、吹出口８２ａ，８２ｃには、それぞれ水平方向（前後方向）及び／又は上下方向の風向調整のためのフラップ（図示せず）が配置されることが好ましい。また、吹出口８２ｂ，８２ｄには、それぞれ水平方向（左右方向）及び／又は上下方向の風向調整のためのフラップ（図示せず）が配置されることが好ましい。なお、これらのフラップは、吹出口８２ａ〜８２ｄを閉鎖することが可能で、フラップを閉鎖することで、そのフラップの設けられた吹出口８２ａ〜８２ｄからの空気の吹き出しを停止することが可能であることが好ましい。
【００５５】
熱交換器エリアＡ２２には、仕切部９８ｂのドレンパン３６の上方、かつ、ドレンパン３６に隣接して利用側熱交換器３０が配置されている（図４参照）。利用側熱交換器３０は、ドレンパン３６の底部３６ａに隣接して配置されている（図４参照）。
【００５６】
機械室エリアＡ３には、主に圧縮機１０や、屋外空気調和装置１００の各種電装品を収容している電装品ボックス２等が配置されている（図３参照）。
【００５７】
ケーシング９０の側面には、隣接する支柱の間を塞ぐように、化粧板９１が取り付けられている（図１参照）。具体的には、ケーシング９０の側面には、支柱９２ａと支柱９２ｂとの間、支柱９２ｂと支柱９２ｃとの間、支柱９２ｃと支柱９２ｄとの間、支柱９２ｄと支柱９２ａとの間、をそれぞれ塞ぐように化粧板９１が取り付けられている（図１参照）。化粧板９１には、メッシュ状に複数の開口が形成されており、開口を通じて空気が流通可能になっている。後述するように熱源側ファン６０及び利用側ファン５０により外部からケーシング９０の内部に取り込まれる空気は、化粧板９１に形成された開口（図示省略）を通過してケーシング９０の外部から内部に流入する。なお、ケーシング９０の各側面には、側面毎に１枚の化粧板が配置されてもよいし、各側面に上下方向及び／又は水平方向に分割された複数の化粧板が配置されてもよい。
【００５８】
なお、屋外空気調和装置１００には、４本の支柱９２ａ〜９２ｄの少なくとも１つ（本実施形態では支柱９２ｂ）に隣接して、機械室エリアＡ３から熱源側熱交換器４０の高さ位置まで上方に延びる配管スペースＰＳが形成されることが好ましい。配管スペースＰＳには、後述する連絡配管２０ｃ，２０ｄ，２０ｅ等が配置される。配管スペースＰＳを形成するため、概ね正方形状の仕切部９８ａのドレンパン４６の１つの角部が切り欠かれている（図６参照）。本実施形態では、配管スペースＰＳを形成するため、ドレンパン４６の、支柱９２ｂに隣接して配置される角部が切り欠かれている（図６参照）。仕切部９８ｂのドレンパン３６についても同様である（図示省略）。熱源エリアＡ１及び利用エリアＡ２から配管スペースＰＳへの空気の流入が抑制されるように、配管スペースＰＳは、上下方向に延びる仕切板９９ａ，９９ｂ，９９ｃ（図３及び図５参照）により、熱源側ファン６０及び利用側ファン５０が生成する気流が通過する空間と仕切られることが好ましい。
【００５９】
（２−２）冷媒回路
屋外空気調和装置１００は、上述したように圧縮機１０、冷媒流向切換機構１２、利用側熱交換器３０、膨張機構１６、及び熱源側熱交換器４０等の機器が配管で接続した冷媒回路２０を有する。
【００６０】
ここでは、冷媒回路２０における機器の接続について説明する。屋外空気調和装置１００は、冷媒回路２０を構成する機器を接続する配管として、主に、吸入管２０ａと、吐出管２０ｂと、第１ガス連絡配管２０ｃと、液連絡配管２０ｄと、第２ガス連絡配管２０ｅと、を含む（図２参照）。
【００６１】
吸入管２０ａは、冷媒流向切換機構１２と圧縮機１０の吸入側の配管接続部（図示省略）とを接続する（図２参照）。
【００６２】
吐出管２０ｂは、圧縮機１０の吐出側の配管接続部（図示省略）と冷媒流向切換機構１２とを接続する（図２参照）。
【００６３】
第１ガス連絡配管２０ｃは、冷媒流向切換機構１２と、熱源側熱交換器４０のガス側冷媒出入口とを接続する。より具体的には、第１ガス連絡配管２０ｃは、冷媒流向切換機構１２と、熱源側熱交換器４０の、ガス側に配置される集合管４４の冷媒出入口４４ａと、を接続する（図２参照）。なお、集合管４４は、熱源側熱交換器４０の後述する複数の冷媒伝熱管４３が接続され、第１ガス連絡配管２０ｃを熱源側熱交換器４０に向かって流れてきた冷媒を接続されている複数の冷媒伝熱管４３に分流させる機構である。また、集合管４４は、接続されている複数の冷媒伝熱管４３を集合管４４に向かって流れてきた冷媒を合流させて、第１ガス連絡配管２０ｃへと流出させる機構である。
【００６４】
液連絡配管２０ｄは、熱源側熱交換器４０の液側冷媒出入口と、利用側熱交換器３０の液側冷媒出入口と、を接続する。より具体的には、液連絡配管２０ｄは、熱源側熱交換器４０の、液側に配置される分流器４２の冷媒出入口４２ａと、利用側熱交換器３０の、液側に配置される分流器３２の冷媒出入口３２ａと、を接続する（図２参照）。なお、熱源側熱交換器４０が、分流器４２に代えて後述する複数の冷媒伝熱管４３が（直接又は間接的に）接続される液側集合管（図示省略）を有し、利用側熱交換器３０が、分流器３２に代えて後述する複数の冷媒伝熱管３３が（直接又は間接的に）接続される液側集合管（図示省略）を有する場合には、液連絡配管２０ｄは、熱源側熱交換器４０の液側集合管の冷媒出入口と、利用側熱交換器３０の液側集合管の冷媒出入口と、を接続する。なお、分流器４２／分流器４２に代えて設けられる液側集合管は、液連絡配管２０ｄを熱源側熱交換器４０に向かって流れてきた冷媒を接続されている複数の冷媒伝熱管４３に分流させる機構である。また、分流器４２／分流器４２に代えて設けられる液側集合管は、接続されている複数の冷媒伝熱管４３を分流器４２に向かって流れてきた冷媒を合流させて、液連絡配管２０ｄへと流出させる機構である。また、分流器３２／分流器３２に代えて設けられる液側集合管は、液連絡配管２０ｄを利用側熱交換器３０に向かって流れてきた冷媒を接続されている複数の冷媒伝熱管３３に分流させる機構である。また、分流器３２／分流器３２に代えて設けられる液側集合管は、接続されている複数の冷媒伝熱管３３を分流器３２に向かって流れてきた冷媒を合流させて、液連絡配管２０ｄへと流出させる機構である。液連絡配管２０ｄには、膨張機構１６が配置される。
【００６５】
第２ガス連絡配管２０ｅは、利用側熱交換器３０のガス側冷媒出入口と、冷媒流向切換機構１２と、を接続する。より具体的には、第２ガス連絡配管２０ｅは、利用側熱交換器３０のガス側に配置される集合管３４の冷媒出入口３４ａと、冷媒流向切換機構１２と、を接続する（図２参照）。なお、利用側熱交換器３０の集合管３４は、利用側熱交換器３０の後述する複数の冷媒伝熱管３３が接続され、第２ガス連絡配管２０ｅを利用側熱交換器３０に向かって流れてきた冷媒を接続されている複数の冷媒伝熱管３３に分流させる機構である。また、利用側熱交換器３０の集合管３４は、接続されている複数の冷媒伝熱管３３を集合管３４に向かって流れてきた冷媒を合流させて、第２ガス連絡配管２０ｅへと流出させる機構である。
【００６６】
（２−３）圧縮機
圧縮機１０は、冷媒を圧縮する機器である。圧縮機１０は、冷凍サイクルにおける低圧の冷媒を圧縮して、冷凍サイクルにおける高圧にまで加圧する。
【００６７】
圧縮機１０は、タイプを限定するものでは無いが、例えば、ロータリ式やスクロール式等の容積圧縮機である。圧縮機１０の圧縮機構（図示せず）は、モータ１１（図２参照）によって駆動される。圧縮機１０は、装置コストの低減の観点からは、定容量の圧縮機（非インバータ圧縮機）であることが好ましい。ただし、これに限定されるものではなく、圧縮機は、容量可変の圧縮機（インバータ圧縮機）であってもよい。
【００６８】
なお、圧縮機１０の吸入側（吸入管２０ａ）には、液冷媒の圧縮機１０への流入を抑制するためアキュムレータ（図示せず）が設けられてもよい。アキュムレータを設ける場合、装置コストの低減や装置の小型等の観点から、アキュムレータはできるだけ小型であることが好ましい。
【００６９】
（２−４）冷媒流向切換機構
冷媒流向切換機構１２は、圧縮機１０から吐出される冷媒の流れ方向を切り換えて、屋外空気調和装置１００の運転状態を、第１運転状態と、第２運転状態と、の間で切り換える機構である。第１運転状態では、利用側熱交換器３０が蒸発器として機能させられ、熱源側熱交換器４０が凝縮器（放熱器）として機能させられる。第２運転状態では、利用側熱交換器３０が凝縮器（放熱器）として機能させられ、熱源側熱交換器４０が蒸発器として機能させられる。
【００７０】
冷媒流向切換機構１２は、冷房／除湿運転時には、屋外空気調和装置１００の運転状態を第１運転状態に切り換える。具体的には、冷房／除湿運転時には、冷媒流向切換機構１２は、吸入管２０ａを第２ガス連絡配管２０ｅと連通させ、吐出管２０ｂを第１ガス連絡配管２０ｃと連通させる（図２の冷媒流向切換機構１２中の実線参照）。つまり、冷媒流向切換機構１２は、冷房／除湿運転時に、圧縮機１０の吸入側を吸入管２０ａ及び第２ガス連絡配管２０ｅを通じて利用側熱交換器３０のガス側端に連通させ、かつ、圧縮機１０の吐出側を吐出管２０ｂ及び第１ガス連絡配管２０ｃを通じて熱源側熱交換器４０のガス側端に連通させる。
【００７１】
冷媒流向切換機構１２は、暖房運転時には、屋外空気調和装置１００の運転状態を第２運転状態に切り換える。具体的には、暖房運転時には、冷媒流向切換機構１２は、吸入管２０ａを第１ガス連絡配管２０ｃと連通させ、吐出管２０ｂを第２ガス連絡配管２０ｅと連通させる（図２の冷媒流向切換機構１２中の破線参照）。つまり、冷媒流向切換機構１２は、暖房運転時に、圧縮機１０の吸入側を吸入管２０ａ及び第１ガス連絡配管２０ｃを通じて熱源側熱交換器４０のガス側端に連通させ、かつ、圧縮機１０の吐出側を吐出管２０ｂ及び第２ガス連絡配管２０ｅを通じて利用側熱交換器３０のガス側端に連通させる。
【００７２】
本実施形態では、冷媒流向切換機構１２は、四路切換弁である。しかし、冷媒流向切換機構１２は、四路切換弁に限られるものではなく、複数の電磁弁及び冷媒管を組み合わせ、上記のような冷媒の流れ方向の切り換えを実現できるように構成されてもよい。
【００７３】
（２−５）熱源側熱交換器
熱源側熱交換器４０は、冷媒と屋外空気との間で熱交換が行われる熱交換器である。屋外空気調和装置１００の運転状態が第１運転状態にある時には、熱源側熱交換器４０は凝縮器として機能する。屋外空気調和装置１００の運転状態が第２運転状態にある時には、熱源側熱交換器４０は蒸発器として機能する。
【００７４】
熱源側熱交換器４０では、その液側端に液連絡配管２０ｄが接続されており、そのガス側端に第１ガス連絡配管２０ｃが接続されている。より具体的には、熱源側熱交換器４０では、液側に配置される分流器４２の冷媒出入口４２ａに液連絡配管２０ｄが接続され、ガス側に配置される集合管４４の冷媒出入口４４ａに第１ガス連絡配管２０ｃが接続されている（図２参照）。
【００７５】
熱源側熱交換器４０は、ガス側に配置される集合管４４と、液側に配置される分流器４２と、熱交換器本体４１と、を主に有する。
【００７６】
熱交換器本体４１は、内部を冷媒が流れる冷媒伝熱管４３（図３参照）と、多数の伝熱フィン（図示省略）と、を主に有するフィン・アンド・チューブ型熱交換器である。熱交換器本体４１は、図２〜図４に示すように、ドレンパン４６の上方に、ドレンパン４６と隣接して配置される。なお、熱交換器本体４１がドレンパン４６と隣接して配置されるとは、熱交換器本体４１がドレンパン４６の底部４６ａの上面の近傍に配置されることを意味する。例えば、熱交換器本体４１の下端は、ドレンパン４６の側壁４６ｂの上端より下方に配置されることが好ましい。また、熱交換器本体４１がドレンパン４６と隣接して配置されるとは、熱交換器本体４１の下端の少なくとも一部と、ドレンパン４６の底部４６ａの上面との間に、他の部材が存在しないことを意味する。
【００７７】
なお、熱源側熱交換器４０が蒸発器として機能する時に、熱交換器本体４１で生じる結露水や、熱交換器本体４１に付着した霜を後述するデフロスト運転時に溶かした時に生じる水や、排気口８４等から流入する雨水等は、ドレンパン４６に流入する。ドレンパン４６に流入した水は、例えば支柱９２ａ〜９２ｄの少なくとも１つの内部に形成される、又は、支柱９２ａ〜９２ｄの少なくとも１つに隣接して配置される、排水経路（図示せず）を介して、屋外空気調和装置１００の下部から排出される。
【００７８】
また、屋外空気調和装置１００では、機械室エリアＡ３にドレン水タンク（図示せず）が配置されてもよい。そして、ドレンパン４６に流入した水は、例えば支柱９２ａ〜９２ｄの少なくとも１つの内部に形成された又は支柱９２ａ〜９２ｄの少なくとも１つに隣接して配置される排水経路（図示せず）を介してドレン水タンクに流入するよう構成されてもよい。ドレン水タンクは、内部の水の廃水等のために、屋外空気調和装置１００から着脱可能であることが好ましい。なお、屋外空気調和装置１００は、ドレン水タンクに流入した水を送水するためのポンプ（図示せず）を更に備えてもよい。そして、ドレン水タンクに流入した水は、熱源側熱交換器４０が凝縮器として機能する時に、冷媒の冷却を補助するために、ポンプによって熱源側熱交換器４０の上部に供給されるように構成されてもよい。
【００７９】
熱交換器本体４１は、熱交換部４１ａ及び熱交換部４１ｂを有する（図４参照）。熱交換部４１ａ，４１ｂのそれぞれでは、熱源側ファン６０の生成する、ケーシング９０の外側からケーシング９０の内部に向かう気流Ｆｂの方向に交差する方向に冷媒伝熱管４３が並べられている。本実施形態では、熱交換部４１ａ，４１ｂのそれぞれにおいて、上下方向に冷媒伝熱管４３が並べられている。そして、熱交換器本体４１では、熱交換部４１ａ及び熱交換部４１ｂが、熱源側ファン６０の生成する気流Ｆｂの方向に２列に並べて配置される（図４参照）。言い換えれば、熱源側熱交換器４０の熱交換器本体４１では、上下方向に並べられた冷媒伝熱管４３が、熱源側ファン６０の生成する気流Ｆｂの方向に２列に並べて配置される。熱交換部４１ａは、熱源側ファン６０の生成する気流Ｆｂの方向の下流側に（内側に）配置され、熱交換部４１ｂは、熱源側ファン６０の生成する気流Ｆｂの方向の上流側に（外側に）配置される（図４参照）。
【００８０】
なお、熱交換器本体４１は、熱交換部４１ａ及び熱交換部４１ｂからなる２つの熱交換部群４８ａ，４８ｂを有する（図８参照）。熱交換部群４８ａ，４８ｂは、平面視に置いてＬ字状に形成され、熱交換部４１ａが内側に、熱交換部４１ｂが外側に配置されている（図８参照）。２つの熱交換部群４８ａ，４８ｂは、図８のように、熱交換部群４８ａ，４８ｂが四辺形形状を形成するように配置される。この結果、熱源側熱交換器４０において、冷媒伝熱管４３により、熱源側ファン６０の生成する気流Ｆｂが通過する複数の熱交換面ＨＳｂ１〜ＨＳｂ４が形成される（図８参照）。熱源側熱交換器４０の熱交換面ＨＳｂ１〜ＨＳｂ４は、ケーシング９０の化粧板９１に隣接して配置される。熱源側熱交換器４０の熱交換面ＨＳｂ１〜ＨＳｂ４と化粧板９１との間には他の部材は配置されないことが好ましい。熱交換面ＨＳｂ１は、屋外空気調和装置１００の後方側に配置され、上下方向及び左右方向に広がる。熱交換面ＨＳｂ２は、屋外空気調和装置１００の右方側に配置され、上下方向及び前後方向に広がる。熱交換面ＨＳｂ３は、屋外空気調和装置１００の前方側に配置され、上下方向及び左右方向に広がる。熱交換面ＨＳｂ４は、屋外空気調和装置１００の左方側に配置され、上下方向及び前後方向に広がる。
【００８１】
なお、熱交換部群４８ｂの構造は、熱交換部群４８ａの構造と同一であることが好ましい。また、各熱交換部群４８ａ，４８ｂを構成する熱交換部４１ａ，４１ｂは、曲げ部分の曲率を除き、その構造が互いに同一であることが好ましい。このように構成されることで、部品の共通化を図ることが可能で、装置コストの低減を図ることができる。
【００８２】
熱源側ファン６０が運転されると、熱源側ファン６０の生成する気流Ｆｂによりケーシング９０の外部から、化粧板９１の開口（図示せず）を通過して取り込まれた空気は、熱交換器本体４１の熱交換面ＨＳｂ１〜ＨＳｂ４を通過し、熱交換器本体４１の冷媒伝熱管４３の内部を流れる冷媒と熱交換する。熱交換器本体４１において冷媒と熱交換した空気は、熱源側ファン６０の生成する気流Ｆｂにより、ケーシング９０内の上部に配置されたベルマウス６４を通過して、ケーシング９０の上部に形成された排気口８４から上方に排気される。
【００８３】
（２−６）利用側熱交換器
利用側熱交換器３０は、冷媒と屋外空気との間で熱交換が行われる熱交換器である。屋外空気調和装置１００の運転状態が第１運転状態にある時には、利用側熱交換器３０は蒸発器として機能する。屋外空気調和装置１００の運転状態が第２運転状態にある時には、利用側熱交換器３０は凝縮器として機能する。
【００８４】
利用側熱交換器３０では、その液側端に液連絡配管２０ｄが接続されており、そのガス側端に第２ガス連絡配管２０ｅが接続されている。より具体的には、利用側熱交換器３０では、液側に配置される分流器３２の冷媒出入口３２ａに液連絡配管２０ｄが接続され、ガス側に配置される集合管３４の冷媒出入口３４ａに第２ガス連絡配管２０ｅが接続されている。
【００８５】
利用側熱交換器３０は、ガス側に配置される集合管３４と、液側に配置される分流器３２と、熱交換器本体３１と、を有する。
【００８６】
熱交換器本体３１は、内部を冷媒が流れる冷媒伝熱管３３（図３参照）と、多数の伝熱フィン（図示省略）と、を有するフィン・アンド・チューブ型熱交換器である。熱交換器本体３１は、図２〜図４に示すように、ドレンパン３６の上方に、ドレンパン３６と隣接して配置される。なお、熱交換器本体３１がドレンパン３６と隣接して配置されるとは、熱交換器本体３１がドレンパン３６の底部３６ａの上面の近傍に配置されることを意味する。例えば、熱交換器本体３１の下端は、ドレンパン３６の側壁３６ｂの上端より下方に配置されることが好ましい。また、熱交換器本体３１がドレンパン３６と隣接して配置されるとは、熱交換器本体３１の下端の少なくとも一部と、ドレンパン３６の底部３６ａの上面との間に、他の部材が存在しないことを意味する。
【００８７】
なお、利用側熱交換器３０が蒸発器として機能する時に、熱交換器本体３１で生じる結露水等は、ドレンパン３６に流入する。ドレンパン３６に流入した水は、例えば支柱９２ａ〜９２ｄの少なくとも１つの内部に形成される、又は、支柱９２ａ〜９２ｄの少なくとも１つに隣接して配置される、排水経路（図示せず）を介して、屋外空気調和装置１００の下部から排出される。
【００８８】
また、屋外空気調和装置１００では、機械室エリアＡ３にドレン水タンク（図示せず）が配置されてもよい。そして、ドレンパン３６に流入した水は、例えば支柱９２ａ〜９２ｄの少なくとも１つの内部に形成された又は支柱９２ａ〜９２ｄの少なくとも１つに隣接して配置される排水経路（図示せず）を介してドレン水タンクに流入するよう構成されてもよい。ドレン水タンクは、内部の水の廃水等のために、屋外空気調和装置１００から着脱可能であることが好ましい。なお、屋外空気調和装置１００は、ドレン水タンクに流入した水を送水するためのポンプ（図示せず）を更に備えてもよい。そして、そして、ドレン水タンクに流入した水は、熱源側熱交換器４０が凝縮器として機能する時に、冷媒の冷却を補助するために、ポンプによって熱源側熱交換器４０の上部へと供給されるように構成されてもよい。
【００８９】
熱交換器本体３１は、熱交換部３１ａ及び熱交換部３１ｂを有する（図４参照）。熱交換部３１ａ，３１ｂのそれぞれでは、利用側ファン５０の生成する、ケーシング９０の外側からケーシング９０の内部に向かう気流Ｆａの方向に交差する方向に冷媒伝熱管３３が並べられている。本実施形態では、熱交換部３１ａ，３１ｂのそれぞれにおいて、上下方向に冷媒伝熱管３３が並べられている。そして、熱交換器本体３１では、熱交換部３１ａ及び熱交換部３１ｂが、利用側ファン５０の生成する気流Ｆａの方向に２列に並べて配置される（図４参照）。言い換えれば、利用側熱交換器３０の熱交換器本体３１では、上下方向に並べられた冷媒伝熱管３３が、利用側ファン５０の生成する気流Ｆａの方向に２列に並べて配置される。熱交換部３１ａは、利用側ファン５０の生成する気流Ｆａの方向の下流側に（内側に）配置され、熱交換部３１ｂは、利用側ファン５０の生成する気流Ｆａの方向の上流側に（外側に）配置される（図４参照）。
【００９０】
なお、熱交換器本体３１は、熱交換部３１ａ及び熱交換部３１ｂからなる２つの熱交換部群３８ａ，３８ｂを有する（図７参照）。熱交換部群３８ａ，３８ｂは、平面視に置いてＬ字状に形成され、熱交換部３１ａが内側に、熱交換部３１ｂが外側に配置されている（図７参照）。２つの熱交換部群３８ａ，３８ｂは、図７のように、熱交換部群３８ａ，３８ｂが四辺形形状を形成するように配置される。この結果、利用側熱交換器３０において、冷媒伝熱管３３により、利用側ファン５０の生成する気流Ｆａが通過する複数の熱交換面ＨＳａ１〜ＨＳａ４が形成される（図７参照）。利用側熱交換器３０の熱交換面ＨＳａ１〜ＨＳａ４は、ケーシング９０の化粧板９１に隣接して配置される。利用側熱交換器３０の熱交換面ＨＳａ１〜ＨＳａ４と化粧板９１との間には他の部材は配置されないことが好ましい。熱交換面ＨＳａ１は、屋外空気調和装置１００の後方側に配置され、上下方向及び左右方向に広がる。熱交換面ＨＳａ２は、屋外空気調和装置１００の右方側に配置され、上下方向及び前後方向に広がる。熱交換面ＨＳａ３は、屋外空気調和装置１００の前方側に配置され、上下方向及び左右方向に広がる。熱交換面ＨＳａ４は、屋外空気調和装置１００の左方側に配置され、上下方向及び前後方向に広がる。
【００９１】
なお、熱交換部群３８ｂの構造は、熱交換部群３８ａの構造と同一であることが好ましい。また、各熱交換部群３８ａ，３８ｂを構成する熱交換部３１ａ，３１ｂは、曲げ部分の曲率を除き、その構造が互いに同一であることが好ましい。このように構成されることで、部品の共通化を図ることが可能で、装置コストの低減を図ることができる。
【００９２】
利用側ファン５０が運転されると、利用側ファン５０の生成する気流Ｆａによりケーシング９０の外部から、化粧板９１の開口（図示せず）を通過して取り込まれた空気は、熱交換器本体３１の熱交換面ＨＳａ１〜ＨＳａ４を通過し、熱交換器本体３１の冷媒伝熱管３３の内部を流れる冷媒と熱交換する。熱交換器本体３１において冷媒と熱交換した空気は、利用側ファン５０の生成する気流Ｆａにより、中間板９８ｃの上方に配置されたベルマウス５４、利用側ファン５０を通過して、吹出エリアＡ２１内に形成される利用側熱交換器３０を通過した空気の流路ＦＰを流れる。そして利用側熱交換器３０を通過した空気は、流路ＦＰの一部を構成する吹出口８２から、ケーシング９０外へと吹き出す。本実施形態では、吹出口８２が略直方体形状のケーシング９０の４つの側面（前面、後面、右面、左面）に設けられていることから、利用側熱交換器３０を通過した空気は、ケーシング９０から複数方向に（四方に）吹き出す。なお、利用側熱交換器３０を通過した空気の流路ＦＰと熱源側熱交換器４０との間には、仕切部９８ａの中空空間１１０が少なくとも部分的に配置されている。中空空間１１０が存在することで、利用側熱交換器３０で冷却／加熱された空気が、熱源側熱交換器４０の熱で加熱／冷却されることが抑制される。
【００９３】
（２−７）膨張機構
膨張機構１６は、絞り膨張作用により、冷凍サイクルにおける高圧の冷媒の圧力を下げる機構である。本実施形態では、膨張機構１６は電子膨張弁である。ただし、膨張機構１６は、開度調節が可能な電子膨張弁に限定されるものではなく、感熱筒と共に用いられる機械式膨張弁であってもよい。また、装置コストの低減等の観点からは、膨張機構１６は減圧の程度や流量を調整できないキャピラリチューブであってもよい。
【００９４】
（２−８）熱源側ファン
熱源側ファン６０は、熱源側熱交換器４０を空気が通過するように気流Ｆｂを生成する機構である。熱源側ファン６０は、モータ６２により駆動される。モータ６２が運転され熱源側ファン６０が気流Ｆｂを生成すると、ケーシング９０の側面から化粧板９１の開口を通過してケーシング９０の内部に空気が取り込まれる。本実施形態では、熱源側ファン６０が気流Ｆｂを生成すると、吹出口８２ａ〜８２ｄより上方から、化粧板９１の開口を通過してケーシング９０の内部に空気が取り込まれる。ケーシング９０の内部に取り込まれた空気は、熱源側熱交換器４０を通過し、その後、熱源側ファン６０及びベルマウス６４を通過して、ケーシング９０の上部の排気口８４から流出する。
【００９５】
熱源側ファン６０は、本実施形態ではプロペラファンである。ただし、熱源側ファン６０の種類はプロペラファンに限定されるものではない。上述したような気流を生成可能であれば、熱源側ファン６０のタイプは適宜決定されればよい。例えば、熱源側ファン６０は、ターボファンやシロッコファンであってもよい。
【００９６】
また、本実施形態では、熱源側ファン６０は、熱源側ファン６０が生成する気流Ｆｂの方向において、熱源側熱交換器４０より下流側に配置されるが、これに限定されるものではない。空気の流路等の設計に応じて、熱源側ファン６０は、熱源側ファン６０が生成する気流Ｆｂの方向において、熱源側熱交換器４０より上流側に配置されてもよい。
【００９７】
また、本実施形態では、熱源側ファン６０は、ケーシング９０の上部（熱源側熱交換器４０の上方）に配置されるが、熱源側ファン６０の配置は、熱源側ファン６０のタイプ等に応じて適宜決定されればよい。
【００９８】
（２−９）利用側ファン
利用側ファン５０は、利用側熱交換器３０を空気が通過するように気流Ｆａを生成する機構である。利用側ファン５０は、モータ５２により駆動される。モータ５２が運転され利用側ファン５０が気流Ｆａを生成すると、ケーシング９０の側面から化粧板９１の開口を通過してケーシング９０の内部に空気が取り込まれる。本実施形態では、利用側ファン５０が気流Ｆａを生成すると、吹出口８２ａ〜８２ｄより下方から、化粧板９１の開口を通過してケーシング９０の内部に空気が取り込まれる。ケーシング９０の内部に取り込まれた空気は、利用側熱交換器３０を通過し、その後、ベルマウス５４及び利用側ファン５０を通過して、ケーシング９０の側面に設けられた吹出口８２ａ〜８２ｄから吹き出される。
【００９９】
利用側ファン５０は、本実施形態ではターボファンである。ただし、利用側ファン５０の種類はターボファンに限定されるものではない。上述したような気流を生成可能であれば、利用側ファン５０のタイプは適宜決定されればよい。例えば、利用側ファン５０は、プロペラファンやシロッコファンであってもよい。
【０１００】
また、本実施形態では、利用側ファン５０は、利用側ファン５０が生成する気流Ｆａの方向において、利用側熱交換器３０より下流側に配置されるが、これに限定されるものではない。空気の流路等の設計に応じて、利用側ファン５０は、利用側ファン５０が生成する気流Ｆａの方向において、熱源側熱交換器４０より上流側に配置されてもよい。
【０１０１】
また、本実施形態では、利用側ファン５０は、利用側熱交換器３０より上方の吹出エリアＡ２１に配置されるが、利用側ファン５０の配置は、利用側ファン５０のタイプ等に応じて適宜決定されればよい。
【０１０２】
（２−１０）制御装置
制御装置７０は、屋外空気調和装置１００を構成する各部の動作を制御する。制御装置７０は、ＣＰＵやメモリ等の部品を有するマイクロコンピュータを含む。制御装置７０は、圧縮機１０、冷媒流向切換機構１２、膨張機構１６、利用側ファン５０及び熱源側ファン６０を含む屋外空気調和装置１００の各種部品と電気的に接続されている（図２の破線参照）。また、制御装置７０は、屋外空気調和装置１００の各部に設けられた図示しない温度センサとも電気的に接続されている。温度センサには、例えば、冷媒回路２０の各部の冷媒の温度を計測する温度センサや、外気温度を計測する温度センサ等を含む。なお、コスト低減の観点からは、屋外空気調和装置１００には圧力センサが設けられないことが好ましい。ただし、これに限定されるものではなく、屋外空気調和装置１００の冷媒回路２０の各部に、冷媒の圧力を測定するための圧力センサが設けられてもよい。屋外空気調和装置１００に圧力センサが設けられる場合、圧力センサには、例えば、吸入管２０ａに設けられる吸入圧センサや、吐出管２０ｂに設けられる吐出圧センサを含む。制御装置７０は、マイクロコンピュータにおいて、ＣＰＵがメモリに記憶されたプログラムを実行することで、屋外空気調和装置１００の動作の制御を行う。
【０１０３】
なお、本実施形態の制御装置７０は、屋外空気調和装置１００の動作を制御する制御装置の一例にすぎない。制御装置は、本実施形態の制御装置７０が発揮する機能と同様の機能を、論理回路等のハードウェアにより実現してもよいし、ハードウェアとソフトウェアとの組合せにより実現してもよい。
【０１０４】
次に、制御装置７０により制御される屋外空気調和装置１００の冷房／除湿運転時、暖房運転時、デフロスト運転時の動作について説明する。
【０１０５】
＜冷房／除湿運転＞
操作スイッチ（図示せず）等からの指示によって冷房／除湿運転の指示がなされると、制御装置７０は、屋外空気調和装置１００の運転状態が第１運転状態になるように冷媒流向切換機構１２を制御する（図２の冷媒流向切換機構１２中の実線参照）。また、制御装置７０は、圧縮機１０、熱源側ファン６０及び利用側ファン５０の運転を開始し、圧縮機１０、膨張機構１６、熱源側ファン６０及び利用側ファン５０の動作を適宜制御する。
【０１０６】
このように屋外空気調和装置１００の動作が制御される結果、冷媒回路２０内の冷凍サイクルにおける低圧のガス冷媒は、圧縮機１０に吸入されて圧縮され、冷凍サイクルにおける高圧のガス冷媒となる。圧縮機１０で圧縮されたガス冷媒は、冷媒流向切換機構１２を通じて熱源側熱交換器４０に送られる。熱源側熱交換器４０に送られた冷凍サイクルにおける高圧のガス冷媒は、凝縮器として機能する熱源側熱交換器４０において、熱源側ファン６０によって供給される屋外空気と熱交換を行って冷却されて凝縮し、高圧の液冷媒となる。一方、凝縮器として機能する熱源側熱交換器４０で加熱された空気は、ケーシング９０の上部の排気口８４からケーシング９０外へと排出される。熱源側熱交換器４０で凝縮した液冷媒は、膨張機構１６で減圧されて膨張し、利用側熱交換器３０に送られる。利用側熱交換器３０に送られた低圧の気液二相状態の冷媒は、蒸発器として機能する利用側熱交換器３０において、利用側ファン５０によって供給される屋外空気と熱交換を行って蒸発し、低圧のガス冷媒となる。低圧のガス冷媒は、第２ガス連絡配管２０ｅ及び吸入管２０ａを通じて圧縮機１０に送られ、圧縮機１０に再び吸入される。一方、蒸発器として機能する利用側熱交換器３０で冷却された空気は、ケーシング９０の側面の吹出口８２ａ〜８２ｄを通ってケーシング９０の四方へと吹き出す。
【０１０７】
＜暖房運転＞
操作スイッチ（図示せず）等からの指示によって暖房運転の指示がなされると、制御装置７０は、屋外空気調和装置１００の運転状態が第２運転状態になるように冷媒流向切換機構１２を制御する（図２の冷媒流向切換機構１２中の破線参照）。また、制御装置７０は、圧縮機１０、熱源側ファン６０及び利用側ファン５０の運転を開始し、圧縮機１０、膨張機構１６、熱源側ファン６０及び利用側ファン５０の動作を適宜制御する。
【０１０８】
このように屋外空気調和装置１００の動作が制御される結果、冷媒回路２０内の低圧の冷凍サイクルにおけるガス冷媒は、圧縮機１０に吸入されて圧縮され、冷凍サイクルにおける高圧のガス冷媒となる。圧縮機１０で圧縮されたガス冷媒は、冷媒流向切換機構１２を通じて利用側熱交換器３０に送られる。利用側熱交換器３０に送られた冷凍サイクルにおける高圧のガス冷媒は、凝縮器として機能する利用側熱交換器３０において、利用側ファン５０によって供給される屋外空気と熱交換を行って冷却されて凝縮し、高圧の液冷媒となる。一方、凝縮器として機能する利用側熱交換器３０で加熱された空気は、ケーシング９０の側面の吹出口８２ａ〜８２ｄを通ってケーシング９０の四方へと吹き出す。利用側熱交換器３０で凝縮した液冷媒は、膨張機構１６で減圧されて膨張し、熱源側熱交換器４０に送られる。熱源側熱交換器４０に送られた低圧の気液二相状態の冷媒は、蒸発器として機能する熱源側熱交換器４０において、熱源側ファン６０によって供給される屋外空気と熱交換を行って蒸発し、低圧のガス冷媒となる。低圧のガス冷媒は、第１ガス連絡配管２０ｃ及び吸入管２０ａを通じて圧縮機１０に送られ、圧縮機１０に再び吸入される。一方、蒸発器として機能する熱源側熱交換器４０で冷却された空気は、ケーシング９０の上部の排気口８４からケーシング９０外へと排出される。
【０１０９】
＜デフロスト運転＞
屋外空気調和装置１００の暖房運転時に、温度センサにより計測される熱源側熱交換器４０を流れる冷媒の温度が所定温度を下回ると、及び／又は、暖房運転の継続時間が所定時間を超えると、制御装置７０は、屋外空気調和装置１００の運転状態が第１運転状態になるように冷媒流向切換機構１２を制御する（図２の冷媒流向切換機構１２中の実線参照）。デフロスト運転時の冷媒回路２０における冷媒の流れは、冷房／除湿運転時の冷媒回路２０における冷媒の流れと同様である。また、制御装置７０は、圧縮機１０、膨張機構１６、熱源側ファン６０及び利用側ファン５０の動作を適宜制御する。
【０１１０】
このように屋外空気調和装置１００の動作が制御される結果、圧縮機１０で圧縮された高温のガス冷媒は、熱源側熱交換器４０に送られ、熱源側熱交換器４０の熱交換器本体４１に付着した霜を溶かす。制御装置７０は、図示しない温度センサにより計測される熱源側熱交換器４０を流れる冷媒の温度が所定温度を上回ると、及び／又は、デフロスト運転の継続時間が所定時間を超えると、暖房運転に復帰する。
【０１１１】
（３）特徴
（３−１）
本実施形態の屋外空気調和装置１００は、冷媒回路２０と、利用側ファン５０と、熱源側ファン６０と、屋外に設置されるケーシング９０と、仕切部９８ａと、を備える。冷媒回路２０は、冷媒を圧縮する圧縮機１０と、利用側熱交換器３０と、熱源側熱交換器４０と、を含む。利用側ファン５０は、利用側熱交換器３０を空気が通過するように気流Ｆａを生成する。熱源側ファン６０は、熱源側熱交換器４０を空気が通過するように気流Ｆｂを生成する。ケーシング９０は、利用側熱交換器３０、熱源側熱交換器４０、利用側ファン５０、及び熱源側ファン６０を収容する。仕切部９８ａは、ケーシング９０内に形成される利用側熱交換器３０を通過した空気の流路ＦＰと、熱源側熱交換器４０との間に配置される。仕切部９８ａは、中空空間１１０を形成している。中空空間１１０は、ケーシング９０内に形成される利用側熱交換器３０を通過した空気の流路ＦＰと熱源側熱交換器４０との間に配置される。
【０１１２】
本実施形態の屋外空気調和装置１００では、利用側熱交換器３０を通過した後の空気の流路ＦＰと熱源側熱交換器４０との間に中空空間１１０が配置される。そのため、中空空間１１０により、熱源側熱交換器４０の熱が直接的に利用側熱交換器３０を通過した空気に伝わることを抑制できる。つまり、中空空間１１０により、利用側熱交換器３０により冷却／加熱された空気の、熱源側熱交換器４０の熱による加熱／冷却を抑制することができる。
【０１１３】
（３−２）
本実施形態の屋外空気調和装置１００では、流路ＦＰを通過した空気は、ケーシング９０から複数方向に吹き出す。
【０１１４】
利用側熱交換器３０で熱交換を行った空気がケーシング９０から複数方向に吹き出される場合に、利用側熱交換器３０を通過した空気が熱源側熱交換器４０の熱の影響を受けると、場所によって吹き出す空気の温度に差ができ、いわゆる温度ムラが生じるおそれがある。ここでは、利用側熱交換器３０を通過した後の空気の流路ＦＰと熱源側熱交換器４０との間に中空空間１１０が配置されるため、温度ムラの発生を抑制することができる。
【０１１５】
（３−３）
本実施形態の屋外空気調和装置１００では、流路ＦＰは、利用側熱交換器３０を通過した空気がケーシング９０外へと吹き出す吹出口８２を含む。吹出口８２と熱源側熱交換器４０とは上下方向に異なる位置に配置される。中空空間１１０は、上下方向において、吹出口８２と熱源側熱交換器４０との間に配置される。
【０１１６】
本実施形態の屋外空気調和装置１００では、利用側熱交換器３０を通過した後の空気がケーシング９０外へと吹き出す直前に通過する吹出口８２と熱源側熱交換器４０との間に中空空間１１０が配置される。そのため、利用側熱交換器３０により冷却／加熱された空気に対する、熱源側熱交換器４０の熱の悪影響が抑制されやすい。
【０１１７】
（３−４）
本実施形態の屋外空気調和装置１００では、中空空間１１０は、少なくとも部分的に、吹出口８２と熱源側熱交換器４０との間に、吹出口８２及び熱源側熱交換器４０に隣接して配置される。
【０１１８】
本実施形態の屋外空気調和装置１００では、吹出口８２と熱源側熱交換器４０とが近くに配置される場合であっても、これらに隣接して配置される中空空間１１０によって、吹出口８２から吹き出す直前の空気に対する熱源側熱交換器４０の熱による悪影響が抑制されやすい。
【０１１９】
（３−５）
本実施形態の屋外空気調和装置１００では、仕切部９８ａは熱源側熱交換器４０の下方に配置される。仕切部９８ａの上面は、ドレン受け（ドレンパン４６）として機能する。
【０１２０】
本実施形態の屋外空気調和装置１００では、仕切部９８ａの上面がドレンパン４６としても機能するので、部品点数を抑制することができる。
【０１２１】
また、ドレンパン４６に水が存在する場合、利用側熱交換器３０を通過した後の空気の流路ＦＰに対する熱源側熱交換器４０の熱の影響がより抑制されやすい。
【０１２２】
（４）変形例
以下に、上記実施形態の変形例を示す。なお、ここに示す各変形例の一部の構成又は全部の構成は、矛盾のない範囲で、他の変形例と組合せて適用されてもよい。
【０１２３】
（４−１）変形例Ａ
上記実施形態では、利用側熱交換器３０及び熱源側熱交換器４０は、フィン・アンド・チューブ型の熱交換器であるが、これに限定されるものではなく、他のタイプの熱交換器であってもよい。例えば、利用側熱交換器３０及び熱源側熱交換器４０は、冷媒伝熱管としての複数の扁平管（扁平多孔管）と、扁平管に差し込まれた複数のフィンと、を備えたマイクロチャネル型の熱交換器であってもよい。
【０１２４】
（４−２）変形例Ｂ
上記実施形態では、熱源側熱交換器４０において、熱交換部４１ａ，４１ｂが、熱源側ファン６０の生成する気流Ｆｂの方向に２列並べて配置される（図４参照）。言い換えれば、熱源側熱交換器４０では、上下方向に並べられた冷媒伝熱管４３が、熱源側ファン６０の生成する気流Ｆｂの方向に２列に並べて配置される。ただし、これに限定されるものではなく、熱源側熱交換器４０は、単一の熱交換部を有し、熱源側ファン６０の生成する気流Ｆｂの方向に１列だけ冷媒伝熱管４３が配置されてもよい。
【０１２５】
また、他の例では、熱源側熱交換器４０は、熱源側ファン６０の生成する気流Ｆｂの方向に３列以上の冷媒伝熱管４３（熱交換部）が並べて配置されてもよい。
【０１２６】
同様に、上記実施形態では、利用側熱交換器３０において、熱交換部３１ａ，３１ｂが、利用側ファン５０の生成する気流Ｆａの方向に２列並べて配置される（図４参照）。言い換えれば、利用側熱交換器３０では、上下方向に並べられた冷媒伝熱管３３が、利用側ファン５０の生成する気流Ｆａの方向に２列に並べて配置される。ただし、これに限定されるものではなく、利用側熱交換器３０は、単一の熱交換部を有し、利用側ファン５０の生成する気流Ｆａの方向に１列だけ冷媒伝熱管３３が配置されてもよい。
【０１２７】
また、他の例では、利用側熱交換器３０は、利用側ファン５０の生成する気流Ｆａの方向に３列以上の冷媒伝熱管３３（熱交換部）が配置されてもよい。
【０１２８】
（４−３）変形例Ｃ
上記実施形態では、熱源側熱交換器４０において、平面視でＬ字状に形成された２つの熱交換部群４８ａ，４８ｂが四辺形形状を形成するように配置されており、４つの熱交換面ＨＳｂ１〜ＨＳｂ４を有するがこれに限定されるものではない。
【０１２９】
例えば、熱源側熱交換器４０は、平面視でＵ字状に形成された単一の熱交換部群を有し、３つの熱交換面を有するものであってもよい。言い換えれば、熱源側ファン６０が運転された時に、熱源側熱交換器４０を通過する空気は、平面視において四角形状のケーシング９０の３つの面から取り込まれてもよい。
【０１３０】
また、熱源側熱交換器４０は、平面視でＬ字状に形成された単一の熱交換部群を有し、２つの熱交換面を有するものであってもよい。言い換えれば、熱源側ファン６０が運転された時に、熱源側熱交換器４０を通過する空気は、平面視において四角形状のケーシング９０の２つの面から取り込まれてもよい。
【０１３１】
また、熱源側熱交換器４０は、平面視でＩ字状に形成された単一の熱交換部群を有し、１つの熱交換面を有するものであってもよい。言い換えれば、熱源側ファン６０が運転された時に、熱源側熱交換器４０を通過する空気は、平面視において四角形状のケーシング９０の１つの面から取り込まれてもよい。
【０１３２】
また、熱源側熱交換器４０は、平面視において全体として多角形形状（例えば、五角形形状、六角形形状等）に形成され、５つ以上の熱交換面を有するものであってもよい。
【０１３３】
利用側熱交換器３０についても同様である。説明は省略する。
【０１３４】
（４−４）変形例Ｄ
上記実施形態では、熱源側熱交換器４０において、平面視でＬ字状に形成された２つの熱交換部群４８ａ，４８ｂが四辺形形状を形成するように配置されているがこれに限定されるものではない。例えば、熱源側熱交換器４０は、平面視で四辺形形状（ロの字状）に形成された単一の熱交換部群を有するものであってもよい。
【０１３５】
利用側熱交換器３０についても同様である。説明は省略する。
【０１３６】
（４−５）変形例Ｅ
上記実施形態では、平面視において四角形形状のケーシング９０の４つの側面の全てに、それぞれ吹出口８２ａ〜８２ｄが形成されている場合について説明した。ただし、これに限定されるものではなく、平面視において四角形形状のケーシング９０の４つの側面の一部には吹出口が形成されなくてもよい。そして、屋外空気調和装置１００は、利用側熱交換器３０を通過した空気を、ケーシング９０から３方向又は２方向に吹き出すように構成されてもよい。また、他の例では、屋外空気調和装置１００は、利用側熱交換器３０を通過した空気を、ケーシング９０から１方向に吹き出すように構成されてもよい。
【０１３７】
また、上記実施形態では、平面視において四角形形状のケーシング９０の側面のそれぞれに独立した単一の吹出口８２ａ〜８２ｄが形成される。ただし、これに限定されるものではなく、ケーシング９０には、２つ以上の側面にわたる吹出口が形成され、各吹出口からは２方向以上に空気が吹き出すように構成されてもよい。
【０１３８】
例えば、ケーシング９０には、前面と左面とにわたる吹出口と、後面と右面とにわたる吹出口と、が形成され、前面と左面とにわたる吹出口からは前方及び左方（左前方を含む）に空気が吹き出し、後面と右面とにわたる吹出口からは後方及び右方（右後方を含む）に空気が吹き出してもよい。
【０１３９】
また、例えば、ケーシング９０には、その全周にわたって単一の吹出口が形成され、平面視に置いて、ケーシング９０から全方位（３６０°）に空気が吹き出すように構成されてもよい。
【０１４０】
（４−６）変形例Ｆ
上記実施形態では、利用側熱交換器３０は熱源側熱交換器４０の下方に配置されているが、これに限定されるものではない。
【０１４１】
例えば、利用側熱交換器３０は、上記実施形態とは逆に、熱源側熱交換器４０の上方に配置され、吹出口８２が利用側熱交換器３０と熱源側熱交換器４０との間に配置されてもよい。このように構成される場合であって、利用側熱交換器３０を通過した流路ＦＰと熱源側熱交換器４０との間に上述するような中空空間が配置される場合には、上述した構成と同様の効果が得られる。なお、利用側熱交換器３０を熱源側熱交換器４０の上方に配置する場合、冷房／除湿運転時に次のようなメリットがある。冷房／除湿運転時には、蒸発器として機能する利用側熱交換器３０において凝縮水が発生する。この凝縮水を熱源側熱交換器４０に垂らす事で、屋外空気調和装置１００の効率が向上する。利用側熱交換器３０を熱源側熱交換器４０の上方に配置することで、ポンプを利用せずとも利用側熱交換器３０において発生した凝縮水を熱源側熱交換器４０上に供給することができる。
【０１４２】
また、例えば、吹出口８２と熱源側熱交換器４０とが同一高さに存在するような場合であっても、利用側熱交換器３０を通過した流路ＦＰと熱源側熱交換器４０との間に、上述するような中空空間が配置される場合には、上述した構成と同様の効果が得られる。
【０１４３】
（４−７）変形例Ｇ
上記実施形態では、熱源側熱交換器４０の熱交換器本体４１の直下の全域にわたって、ドレンパン４６の底部４６ａ及び第１部材４７の底板部４７ｃが配置されている。言い換えれば、上記実施形態では、熱源側熱交換器４０の熱交換器本体４１の直下の全域にわたって、中空空間１１０が配置されている。
【０１４４】
ただし、これに限定されるものではなく、熱源側熱交換器４０の熱交換器本体４１の直下であっても、中空空間１１０が配置されていない部分が存在してもよい。ただし、利用側熱交換器３０により冷却／加熱された空気の、熱源側熱交換器４０の熱による加熱／冷却を抑制するという観点からは、平面視における熱源側熱交換器４０の熱交換器本体４１の面積に対し、５０％以上のエリアの直下には、中空空間１１０が配置されることが好ましい。平面視における熱源側熱交換器４０の熱交換器本体４１の面積に対し、８５％以上のエリアの直下には、中空空間１１０が配置されることが更に好ましい。
【０１４５】
また、上記実施形態では、吹出口８２ａ〜８２ｄの直上の全域にわたって、ドレンパン４６の底部４６ａ及び第１部材４７の底板部４７ｃが配置されている。言い換えれば、上記実施形態では、吹出口８２ａ〜８２ｄの直上の全域にわたって、中空空間１１０が配置されている。
【０１４６】
ただし、これに限定されるものではなく、吹出口８２ａ〜８２ｄの直上であっても、中空空間１１０が配置されていない部分が存在してもよい。ただし、利用側熱交換器３０により冷却／加熱された空気の、熱源側熱交換器４０の熱による加熱／冷却を抑制するという観点からは、吹出口８２ａ〜８２ｄの上縁部８２ａａ〜８２ｄａの全長に対し、５０％の長さにわたって、吹出口８２ａ〜８２ｄの直上に中空空間１１０が配置されることが好ましい。また、吹出口８２ａ〜８２ｄの上縁部８２ａａ〜８２ｄａの全長に対し、８５％以上の長さにわたって、吹出口８２ａ〜８２ｄの直上に中空空間１１０が配置されることが好ましい。
【０１４７】
（４−８）変形例Ｈ
上記実施形態では、利用側ファン５０のモータ５２が配置される空間Ｓ１、すなわちドレンパン４６の底部４６ａの凹部４６ａａにより形成される空間は、第１部材４７により囲まれていない。言い換えれば、上記実施形態では、少なくとも凹部４６ａａにおいて、熱源エリアＡ１と吹出エリアＡ２１との間には、ドレンパン４６だけしか配置されない。しかし、図９のように構成して、空間Ｓ１も含む領域を中空空間として利用してもよい。
【０１４８】
図９に示すように仕切部２９８ａは、ドレンパン４６と、平面視においてモータ５２と同一の形状の穴（図示せず）が中央部に形成された第１部材２４７と、を有するものであってもよい。この場合には、空間Ｓ１も領域に含む中空空間２１０を形成することができ、利用側熱交換器３０を通過した空気の流路ＦＰと、熱源側熱交換器４０や熱源側熱交換器４０を通過した空気の流路との間の断熱がされやすく、利用側熱交換器３０により冷却／加熱された空気が、熱源側熱交換器４０の熱により加熱／冷却されにくい。
【０１４９】
（４−９）変形例Ｉ
上記実施形態では、ドレンパン４６と第１部材４７とにより中空空間１１０が形成されるが、これに限定されるものではない。例えば、仕切部９８ａは、ドレンパン３６の下面に固定される、中空状に形成された（中空区間が内部に形成された）中空空間形成部材を有するものであってもよい。
【０１５０】
以上、本開示の実施形態を説明したが、特許請求の範囲に記載された本開示の趣旨及び範囲から逸脱することなく、形態や詳細の多様な変更が可能なことが理解されるであろう。
【符号の説明】
【０１５１】
１０                                    圧縮機
１２                                    冷媒流向切換機構
２０                                    冷媒回路
３０                                    利用側熱交換器
４０                                    熱源側熱交換器
５０                                    利用側ファン（第１ファン）
６０                                    熱源側ファン（第２ファン）
８２（８２ａ，８２ｂ，８２ｃ，８２ｄ）  吹出口
９０                                    ケーシング
９８ａ，２９８ａ                        仕切部
１００                                  屋外空気調和装置
１１０，２１０                          中空空間
ＦＰ                                    流路
【先行技術文献】
【特許文献】
【０１５２】
【特許文献１】実開平１−１２５９３３号公報
【図１】
2020003160.tif 000003
【図２】
2020003160.tif 000004
【図３】
2020003160.tif 000005
【図４】
2020003160.tif 000006
【図５】
2020003160.tif 000007
【図６】
2020003160.tif 000008
【図７】
2020003160.tif 000009
【図８】
2020003160.tif 000010
【図９】
2020003160.tif 000011